【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、
（ａ）前記プロセスカートリッジ長手方向両端部に設けられた第１側板及び第２側板を取り外す側板取外し工程と、
（ｂ）前記現像ユニットから前記帯電ユニットを取り外す帯電ユニット取外し工程と、
（ｃ）前記現像ユニットから前記電子写真感光体を取り外す電子写真感光体取外し工程と、
（ｄ）前記電子写真感光体から軸を抜き取る軸抜取り工程と、
（ｅ）新しい前記電子写真感光体に軸を挿入する軸挿入工程と、
（ｆ）新しい前記電子写真感光体を前記現像ユニットに取り付ける電子写真感光体取付け工程と、
（ｇ）前記帯電ユニットを前記電子写真感光体が取り付けられた前記現像ユニットに取り付ける帯電ユニット取付け工程と、
（ｈ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、
を有することを特徴とするプロセスカートリッジの再生産方法。
【請求項２】
電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、
前記電子写真感光体と共に軸を取り替える場合は、軸抜取り工程と、軸挿入工程を省略する、
すなわち、（ａ）前記プロセスカートリッジ長手方向両端部に設けられた第１側板及び第２側板を取り外す側板取外し工程と、
（ｂ）前記現像ユニットから前記帯電ユニットを取り外す帯電ユニット取外し工程と、
（ｃ）前記現像ユニットから前記電子写真感光体を取り外す電子写真感光体取外し工程と、
（ｄ）新しい前記電子写真感光体を前記現像ユニットに取り付ける電子写真感光体取付け工程と、
（ｅ）前記帯電ユニットを前記電子写真感光体が取り付けられた前記現像ユニットに取り付ける帯電ユニット取付け工程と、
（ｆ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、
を有することを特徴とするプロセスカートリッジの再生産方法。
【請求項３】
前記電子写真感光体取付け工程で、前記第１側板を前記電子写真感光体が取り付けられた前記現像ユニットに途中まで取り付け、
前記第１側板によって前記電子写真感光体を前記現像ユニットに対し仮固定することを特徴とする実施態様１又は２に記載のプロセスカートリッジの再生産方法。
【請求項４】
前記帯電ユニット取付け工程で、取り付け前の前記帯電ユニットに設けられたブラシ部材の清掃を行うことを特徴とする実施態様１又は２に記載のプロセスカートリッジの再生産方法。
【請求項５】
いずれかの工程の中で、前記第１側板に具備された、画像形成装置本体に固定配置された通信手段と非接触状態で通信可能な通信アンテナ及び通信手段を有する記憶素子を、異なる情報を有する記憶素子に交換することを特徴とする実施態様１又は２に記載のプロセスカートリッジの再生産方法。
【請求項６】
電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、
（ａ）前記プロセスカートリッジ長手方向両端部に設けられた第１側板及び第２側板を取り外す側板取外し工程と、
（ｂ）前記現像ユニットから前記帯電ユニットを取り外す帯電ユニット取外し工程と、
（ｃ）前記現像ユニットから前記電子写真感光体を取り外す電子写真感光体取外し工程と、
（ｄ）前記現像剤担持体表面の前記電子写真感光体対向部以外を覆い、前記電子写真感光体と長手方向に当接するシート部材を保持するカバー部材を前記現像ユニットから取り外すカバー部材取外し工程と、
（ｅ）前記現像剤担持体の両端を回動支持している軸受を固定する第１ピン部材及び第２ピン部材を前記現像ユニットから引き抜くピン部材引抜き工程と、
（ｆ）前記現像剤担持体内に内包されたマグネットローラの回転方向の角度を決めている規制部材を前記現像ユニットから取り外す規制部材取外し工程と、
（ｇ）前記現像剤担持体を前記現像ユニットから取り外す現像剤担持体取外し工程と、
（ｈ）前記現像剤担持体を取り外したことで現れる前記現像ユニットの開口部から前記現像ユニット内の現像剤を抜き取る現像ユニット内現像剤抜取り工程と、
（ｉ）前記現像剤担持体に付着した現像剤を取り除く現像剤担持体付着現像剤取り除き工程と、
（ｊ）前記現像ユニットの開口部から新しい現像剤を充填する現像剤充填工程と、
（ｋ）前記現像剤担持体を前記現像ユニットに取り付ける現像剤担持体取付け工程と、
（ｌ）前記規制部材を取り付ける規制部材取付け工程と、
（ｍ）前記第１ピン部材及び前記第２ピン部材を前記現像ユニットに取り付けるピン部材取付け工程と、
（ｎ）前記カバー部材を前記現像ユニットに取り付けるカバー部材取付け工程と、
（ｏ）前記電子写真感光体を前記現像ユニットに取り付ける電子写真感光体取付け工程と、
（ｐ）前記帯電ユニットを前記電子写真感光体が取り付けられた前記現像ユニットに取り付ける帯電ユニット取付け工程と、
（ｑ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、
を有することを特徴とするプロセスカートリッジの再生産方法。
【請求項７】
電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、
（ａ）前記現像ユニットに設けられた現像剤補給口の開閉シャッターを開口させる開閉シャッター開口工程と、
（ｂ）前記開閉シャッターが開口した前記現像剤補給口から前記現像ユニット内の現像剤を抜き取る第１現像ユニット内現像剤抜取り工程と、
（ｃ）前記開閉シャッターを閉口させる開閉シャッター閉口工程と、
（ｄ）前記プロセスカートリッジ長手方向両端部に設けられた第１側板及び第２側板を取り外す側板取外し工程と、
（ｅ）前記現像ユニットから前記帯電ユニットを取り外す帯電ユニット取外し工程と、
（ｆ）前記現像ユニットから前記電子写真感光体を取り外す電子写真感光体取外し工程と、
（ｇ）前記現像剤担持体表面の前記電子写真感光体対向部以外を覆い、前記電子写真感光体と長手方向に当接するシート部材を保持するカバー部材を前記現像ユニットから取り外すカバー部材取外し工程と、
（ｈ）前記現像剤担持体の両端を回動支持している軸受を固定する第１ピン部材及び第２ピン部材を前記現像ユニットから引き抜くピン部材引抜き工程と、
（ｉ）前記現像剤担持体内に内包されたマグネットローラの回転方向の角度を決めている規制部材を前記現像ユニットから取り外す規制部材取外し工程と、
（ｊ）前記現像剤担持体を前記現像ユニットから取り外す現像剤担持体取外し工程と、
（ｋ）前記現像剤担持体を取り外したことで現れる前記現像ユニットの開口部から前記現像ユニット内の現像剤を抜き取る第２現像ユニット内現像剤抜取り工程と、
（ｌ）前記現像剤担持体に付着した現像剤を取り除く現像剤担持体付着現像剤取り除き工程と、
（ｍ）前記現像ユニットの開口部から新しい現像剤を充填する現像剤充填工程と、
（ｎ）前記現像剤担持体を前記現像ユニットに取り付ける現像剤担持体取付け工程と、
（ｏ）前記規制部材を取り付ける規制部材取付け工程と、
（ｐ）前記第１ピン部材及び前記第２ピン部材を前記現像ユニットに取り付けるピン部材取付け工程と、
（ｑ）前記カバー部材を前記現像ユニットに取り付けるカバー部材取付け工程と、
（ｒ）前記電子写真感光体を前記現像ユニットに取り付ける電子写真感光体取付け工程と、
（ｓ）前記帯電ユニットを前記電子写真感光体が取り付けられた前記現像ユニットに取り付ける帯電ユニット取付け工程と、
（ｔ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、
を有することを特徴とするプロセスカートリッジの再生産方法。
【請求項８】
前記電子写真感光体取付け工程で、前記第１側板を前記電子写真感光体が取り付けられた前記現像ユニットに途中まで取り付け、
前記第１側板によって前記電子写真感光体を前記現像ユニットに対し仮固定することを特徴とする請求項６又は７に記載のプロセスカートリッジの再生産方法。
【請求項９】
前記帯電ユニット取付け工程で、取り付け前の前記帯電ユニットに設けられたブラシ部材の清掃を行うことを特徴とする請求項６又は７に記載のプロセスカートリッジの再生産方法。
【請求項１０】
前記現像剤担持体付着現像剤取り除き工程で、前記現像剤担持体を新しいものへ交換することを特徴とする請求項６又は７に記載のプロセスカートリッジの再生産方法。
【請求項１１】
前記カバー部材取外し工程、前記ピン部材引抜き工程、前記規制部材取外し工程の順序は、順不同であることを特徴とする請求項６又は７に記載のプロセスカートリッジの再生産方法。
【請求項１２】
前記規制部材取付け工程、前記ピン部材取付け工程、前記カバー部材取付け工程の順序は、順不同であることを特徴とする請求項６又は７に記載のプロセスカートリッジの再生産方法。
【請求項１３】
いずれかの工程の中で、前記第１側板に具備された、画像形成装置本体に固定配置された通信手段と非接触状態で通信可能な通信アンテナ及び通信手段を有する記憶素子を、異なる情報を有する記憶素子に交換することを特徴とする請求項６又は７に記載のプロセスカートリッジの再生産方法。
【請求項１４】
前記開閉シャッター開口工程、前記第１現像ユニット内現像剤抜取り工程及び前記開閉シャッター閉口工程は、前記現像剤担持体取外し工程の前であればいつ行われても良いことを特徴とする請求項７に記載のプロセスカートリッジの再生産方法。
【手続補正２】
【補正対象書類名】明細書
【補正対象項目名】００１６
【補正方法】変更
【補正の内容】
【００１６】
【課題を解決するための手段】
上記目的を達成するために本発明にあっては、電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカート
リッジの再生産方法において、（ａ）前記プロセスカートリッジ長手方向両端部に設けられた第１側板及び第２側板を取り外す側板取外し工程と、（ｂ）前記現像ユニットから前記帯電ユニットを取り外す帯電ユニット取外し工程と、（ｃ）前記現像ユニットから前記電子写真感光体を取り外す電子写真感光体取外し工程と、（ｄ）前記電子写真感光体から軸を抜き取る軸抜取り工程と、（ｅ）新しい前記電子写真感光体に軸を挿入する軸挿入工程と、（ｆ）新しい前記電子写真感光体を前記現像ユニットに取り付ける電子写真感光体取付け工程と、（ｇ）前記帯電ユニットを前記電子写真感光体が取り付けられた前記現像ユニットに取り付ける帯電ユニット取付け工程と、（ｈ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、を有することを特徴とする。
また、電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、前記電子写真感光体と共に軸を取り替える場合は、軸抜取り工程と、軸挿入工程を省略する、すなわち、（ａ）前記プロセスカートリッジ長手方向両端部に設けられた第１側板及び第２側板を取り外す側板取外し工程と、（ｂ）前記現像ユニットから前記帯電ユニットを取り外す帯電ユニット取外し工程と、（ｃ）前記現像ユニットから前記電子写真感光体を取り外す電子写真感光体取外し工程と、（ｄ）新しい前記電子写真感光体を前記現像ユニットに取り付ける電子写真感光体取付け工程と、（ｅ）前記帯電ユニットを前記電子写真感光体が取り付けられた前記現像ユニットに取り付ける帯電ユニット取付け工程と、（ｆ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、を有することを特徴とする。
また、電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、（ａ）前記プロセスカートリッジ長手方向両端部に設けられた第１側板及び第２側板を取り外す側板取外し工程と、（ｂ）前記現像ユニットから前記帯電ユニットを取り外す帯電ユニット取外し工程と、（ｃ）前記現像ユニットから前記電子写真感光体を取り外す電子写真感光体取外し工程と、（ｄ）前記現像剤担持体表面の前記電子写真感光体対向部以外を覆い、前記電子写真感光体と長手方向に当接するシート部材を保持するカバー部材を前記現像ユニットから取り外すカバー部材取外し工程と、（ｅ）前記現像剤担持体の両端を回動支持している軸受を固定する第１ピン部材及び第２ピン部材を前記現像ユニットから引き抜くピン部材引抜き工程と、（ｆ）前記現像剤担持体内に内包されたマグネットローラの回転方向の角度を決めている規制部材を前記現像ユニットから取り外す規制部材取外し工程と、（ｇ）前記現像剤担持体を前記現像ユニットから取り外す現像剤担持体取外し工程と、（ｈ）前記現像剤担持体を取り外したことで現れる前記現像ユニットの開口部から前記現像ユニット内の現像剤を抜き取る現像ユニット内現像剤抜取り工程と、（ｉ）前記現像剤担持体に付着した現像剤を取り除く現像剤担持体付着現像剤取り除き工程と、（ｊ）前記現像ユニットの開口部から新しい現像剤を充填する現像剤充填工程と、（ｋ）前記現像剤担持体を前記現像ユニットに取り付ける現像剤担持体取付け工程と、（ｌ）前記規制部材を取り付ける規制部材取付け工程と、（ｍ）前記第１ピン部材及び前記第２ピン部材を前記現像ユニットに取り付けるピン部材取付け工程と、（ｎ）前記カバー部材を前記現像ユ
ニットに取り付けるカバー部材取付け工程と、（ｏ）前記電子写真感光体を前記現像ユニットに取り付ける電子写真感光体取付け工程と、（ｐ）前記帯電ユニットを前記電子写真感光体が取り付けられた前記現像ユニットに取り付ける帯電ユニット取付け工程と、（ｑ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、を有することを特徴とする。
また、電子写真画像形成装置に着脱可能で、電子写真感光体と、前記電子写真感光体を帯電させる帯電ユニットと、前記電子写真感光体上の潜像を現像剤担持体を用いて現像させる現像ユニットと、を備え、前記現像ユニットに前記電子写真感光体及び前記帯電ユニットが取り付けられて構成されるプロセスカートリッジの再生産方法において、（ａ）前記現像ユニットに設けられた現像剤補給口の開閉シャッターを開口させる開閉シャッター開口工程と、（ｂ）前記開閉シャッターが開口した前記現像剤補給口から前記現像ユニット内の現像剤を抜き取る第１現像ユニット内現像剤抜取り工程と、（ｃ）前記開閉シャッターを閉口させる開閉シャッター閉口工程と、（ｄ）前記プロセスカートリッジ長手方向両端部に設けられた第１側板及び第２側板を取り外す側板取外し工程と、（ｅ）前記現像ユニットから前記帯電ユニットを取り外す帯電ユニット取外し工程と、（ｆ）前記現像ユニットから前記電子写真感光体を取り外す電子写真感光体取外し工程と、（ｇ）前記現像剤担持体表面の前記電子写真感光体対向部以外を覆い、前記電子写真感光体と長手方向に当接するシート部材を保持するカバー部材を前記現像ユニットから取り外すカバー部材取外し工程と、（ｈ）前記現像剤担持体の両端を回動支持している軸受を固定する第１ピン部材及び第２ピン部材を前記現像ユニットから引き抜くピン部材引抜き工程と、（ｉ）前記現像剤担持体内に内包されたマグネットローラの回転方向の角度を決めている規制部材を前記現像ユニットから取り外す規制部材取外し工程と、（ｊ）前記現像剤担持体を前記現像ユニットから取り外す現像剤担持体取外し工程と、（ｋ）前記現像剤担持体を取り外したことで現れる前記現像ユニットの開口部から前記現像ユニット内の現像剤を抜き取る第２現像ユニット内現像剤抜取り工程と、（ｌ）前記現像剤担持体に付着した現像剤を取り除く現像剤担持体付着現像剤取り除き工程と、（ｍ）前記現像ユニットの開口部から新しい現像剤を充填する現像剤充填工程と、（ｎ）前記現像剤担持体を前記現像ユニットに取り付ける現像剤担持体取付け工程と、（ｏ）前記規制部材を取り付ける規制部材取付け工程と、（ｐ）前記第１ピン部材及び前記第２ピン部材を前記現像ユニットに取り付けるピン部材取付け工程と、（ｑ）前記カバー部材を前記現像ユニットに取り付けるカバー部材取付け工程と、（ｒ）前記電子写真感光体を前記現像ユニットに取り付ける電子写真感光体取付け工程と、（ｓ）前記帯電ユニットを前記電子写真感光体が取り付けられた前記現像ユニットに取り付ける帯電ユニット取付け工程と、（ｔ）前記第１側板及び前記第２側板を前記電子写真感光体及び前記帯電ユニットが取り付けられた前記現像ユニットに取り付け、前記第１側板で前記現像ユニット及び前記帯電ユニットを完全に位置決めすると共に前記電子写真感光体を長手方向と直交する方向に微少量可動に支持し、前記第２側板で前記現像ユニット、前記帯電ユニット及び前記電子写真感光体を完全に位置決めする位置決め工程と、を有することを特徴とする。